(57)【要約】【課題】部品点数を増やすことなく、かつ外観の悪化を防ぎながらハウリングを防止する。【解決手段】正面側キャビネット３に、マイク１０に対向する位置に貫通形成した音孔１５と、正面側キャビネット３を覆うリアカバー５における音孔１５に対応して形成した露出孔１６とを設ける。露出孔１６を、音孔１５のカバー部材側内径Ｄ０１よりも筐体側内径Ｄ１２が大きく、かつ外側内径Ｄ１１が音孔１５のカバー部材側内径Ｄ０１と同じ又はカバー部材側内径Ｄ０１よりも小さくなるようにテーパ状に外側に向かって内径が小さくなるように形成する。【選択図】図１
2014220734.tif 000002
【特許請求の範囲】
【請求項１】
筐体内にマイクが内蔵された電子機器において、
上記筐体における、上記マイクに対向する位置に貫通形成した音孔と、
上記筐体を覆うカバー部材における上記音孔に対応して形成した露出孔とを備え、
上記露出孔は、上記音孔のカバー部材側内径よりも上記筐体側の内径が大きく、かつ外側内径が上記音孔のカバー部材側内径と同じ又は該カバー部材側内径よりも小さくなるようにテーパ状に外側に向かって内径が小さくなっている
ことを特徴とする電子機器。
【発明の詳細な説明】
【技術分野】
【０００１】
本発明は、筐体内にマイクが内蔵された電子機器に関するものである。
【背景技術】
【０００２】
従来より、例えば、特許文献１の携帯端末装置のように筐体と、その背面を覆う電池カバーと、筐体の背面にマイクの音孔とスピーカの音孔とが同一面で配置され、筐体の背面と電池カバーとの間に空隙を有する電子機器が知られている。
【先行技術文献】
【特許文献】
【０００３】
【特許文献１】特開２０１２−１９５８３５号公報
【発明の概要】
【発明が解決しようとする課題】
【０００４】
例えば、図４（ａ）に示すように、従来の電子機器１０１の正面側キャビネット１０３に形成したマイク１１０用の音孔１１５の外側内径Ｄ０１'は、電池蓋１０５の露出孔１１６の内側内径Ｄ１２'とほぼ同じかそれよりも若干大きい（Ｄ０１'≧Ｄ１２'）。この場合、図４（ｂ）に模式的に示すように、電池蓋１０５と背面側キャビネット１０４との間の隙間Ｃを通ってきた白抜き矢印で示すスピーカ等の雑音が、露出孔１１６の内側周縁に反射してマイク音道（音孔１１５）に入ってハウリング（スピーカから出た音をマイクが拾い、それをまたスピーカが再生するということを繰り返し、大きな騒音が連続して発生する現象）を起こすという問題がある。
【０００５】
このため、特許文献１の携帯端末装置では、筐体における、マイクの音孔とスピーカの音孔との間に凹部を設け、電池蓋に凹部に嵌合して空隙を塞ぐ凸部を設けている。
【０００６】
しかしながら、この特許文献１のような方法では、電池蓋に細い凸部を形成することになり、設計の制約が多く出る上に、この細い凸部をユーザが破損してしまう恐れがある。
【０００７】
一方、反射を防ぐために電池蓋の露出孔の内径全体を大きくすると、外観が悪くなる。
【０００８】
さらに電池蓋と筐体との間に防音のクッションを設けることもできるが、その場合には、部品点数が増え、作業性及び生産性が悪化するという問題がある。
【０００９】
本発明は、かかる点に鑑みてなされたものであり、その目的とするところは、部品点数を増やすことなく、かつ外観の悪化を防ぎながらハウリングを防止することにある。
【課題を解決するための手段】
【００１０】
上記の目的を達成するために、この発明では、カバー部材側の露出孔の形状に改善を加えた。
【００１１】
具体的には、本発明では、筐体内にマイクが内蔵された電子機器を前提とし、
上記電子機器は、
上記筐体における、上記マイクに対向する位置に貫通形成した音孔と、
上記筐体を覆うカバー部材における上記音孔に対応して形成した露出孔とを備え、
上記露出孔は、上記音孔のカバー部材側内径よりも上記筐体側の内径が大きく、かつ外側内径が上記音孔のカバー部材側内径と同じ又は該カバー部材側内径よりも小さくなるようにテーパ状に外側に向かって内径が小さくなっている。
【００１２】
上記の構成によると、筐体とカバー部材との間の隙間から入ってくる雑音が露出孔の筐体側周縁で跳ね返らず、外側へ出て行くので、ハウリングが起こらない。また、露出孔の外側内径を音孔内径に比べて大きくする必要がないので、外観が悪化しない。
【発明の効果】
【００１３】
以上説明したように、本発明によれば、カバー部材の露出孔を音孔のカバー部材側内径よりも筐体側内径が大きく、かつ外側内径がカバー部材側内径と同じ又はカバー部材側内径よりも小さくなるようにテーパ状に外側に向かって内径を小さくしたことにより、部品点数を増やすことなく、かつ外観の悪化を防ぎながらハウリングを防止することができる。
【図面の簡単な説明】
【００１４】
【図１】（ａ）が図２（ｂ）のＩ−Ｉ線拡大断面図であり、（ｂ）が音孔及び露出孔における雑音の伝導する様子を示す概略断面図である。
【図２】携帯電話機を示し、（ａ）が正面から見た斜視図で、（ｂ）が背面から見た斜視図である。
【図３】マイク及びその周辺を示す携帯電話機の分解斜視図である。
【図４】従来技術に係る図１相当図である。
【図５】本発明の実施例に係るマイクが拾う音を示すグラフであり、（ａ）は筐体側内径が３．０ｍｍで外側内径が１．０ｍｍの実施例１であり、（ｂ）は筐体側内径が３．０ｍｍで外側内径が１．２ｍｍの実施例２であり、（ｃ）は筐体側内径が３．０ｍｍで外側内径が１．５ｍｍの実施例３である。
【図６】比較例に係るマイクが拾う音を示すグラフであり、（ａ）は筐体側内径及び外側内径が２．０ｍｍの比較例１であり、（ｂ）は筐体側内径及び外側内径が２．４ｍｍの比較例２であり、（ｃ）は筐体側内径及び外側内径が３．０ｍｍの比較例３である。
【発明を実施するための形態】
【００１５】
以下、本発明の実施形態を図面に基づいて説明する。
【００１６】
図２は本発明の実施形態の電子機器としての携帯電話機１を示し、この携帯電話機１は、正面側に表示部２が貼り付けられる筐体としての正面側キャビネット３を備えている。図３にも示すように、この正面側キャビネット３の背面側には、背面側キャビネット４が結合されている。これら正面側キャビネット３及び背面側キャビネット４の側面及び背面がカバー部材としてのリアカバー５で覆われている。例えば、図１（ａ）にも示すように、正面側キャビネット３及び背面側キャビネット４の内部に充電池６、メイン基板７、スピーカ等が内蔵されている。スピーカは、特に図示していないが、正面側キャビネット３及び背面側キャビネット４の内部の上端側に配置され、メイン基板７の上部に電気的に接続されている。
【００１７】
携帯電話機１の下部には、主として通話に用いられるマイク１０が内蔵されている。マイク１０は、例えばメイン基板７に接続されるフレキシブル基板よりなるマイク基板１１の表面に接着されている。図３に示すように、マイク１０は、マイク基板１１及びマイクホルダ１２と共にビス５０により正面側キャビネット３に対して固定されている。図１（ａ）に示すように、マイク１０は、第１クッション１３及び第２クッション１４によって挟持された状態で、正面側キャビネット３とマイクホルダ１２との間に固定されている。そして、正面側キャビネット３及び背面側キャビネット４の結合面は、防水パッキン８で防水され、表示部２は、両面テープ９で正面側キャビネット３に貼り付けられているので、原則としてマイク１０へは、音孔１５から音が伝達されるようになっている。
【００１８】
正面側キャビネット３における、マイク１０に対向する位置（真下）には、音孔１５が貫通形成されている。音孔１５は、断面円形であり、マイク１０側（上側）の内径が最も小さく、リアカバー５に向かって（下方に向かって）内径が徐々に大きくなっている。
【００１９】
一方、リアカバー５における音孔１５に対応する部分には、断面円形の露出孔１６が形成されている。そして、本発明の特徴として、露出孔１６は、テーパ状に外側（下方）に向かって内径が小さくなっている。つまり、音孔１５のカバー部材側内径Ｄ０１よりも筐体側内径Ｄ１２が大きく（Ｄ１２＞Ｄ０１）、かつその外側内径Ｄ１１が筐体側内径Ｄ１２と同じ又は筐体側内径Ｄ１２よりも小さくなっている（Ｄ１１≦Ｄ０１）。
【００２０】
次に、本実施形態に係る携帯電話機１における露出孔１６の作用について説明する。
【００２１】
まず、露出孔１６の筐体側内径Ｄ１２が３．０ｍｍで外側内径Ｄ１１が１．０ｍｍの実施例１、筐体側内径Ｄ１２が３．０ｍｍで外側内径Ｄ１１が１．２ｍｍの実施例２及び筐体側内径Ｄ１２が３．０ｍｍで外側内径Ｄ１１が１．５ｍｍの実施例３を用意する。
【００２２】
比較のために、露出孔１１６の筐体側内径Ｄ１２'及び外側内径Ｄ１１'が２．０ｍｍの比較例１、筐体側内径Ｄ１２'及び外側内径Ｄ１１'が２．４ｍｍの比較例２及び筐体側内径Ｄ１２'及び外側内径Ｄ１１'が３．０ｍｍの比較例３を用意する。
【００２３】
そして、マイク１０が拾う音の大きさを実施例１〜３並びに比較例１〜３でそれぞれイヤホン出力として測定した。
【００２４】
図６（ａ）に示す比較例１では、１〜２ＫＨｚの辺りでハウリングのためにイヤホン出力が大きくなっている。つまり、図４（ｂ）に示すように、白抜き矢印で示す電池蓋１０５と背面側キャビネット１０４との間の隙間Ｃから伝達されてきた音の一部が露出孔１１６のマイク１０側で反射され、黒塗り矢印で示す外部からの音と共にマイク１０側へ向かってマイク１０で集音され、それが繰り返されてハウリングが発生すると考えられる。
【００２５】
図６（ｂ）に示す比較例２では、比較例１に比べて筐体側内径Ｄ１２'及び外側内径Ｄ１１'を０．４ｍｍずつ大きくしたが、特に２ＫＨｚ周辺のイヤホン出力が低減されていない。
【００２６】
図６（ｃ）に示す比較例３では、比較例２に比べてさらに筐体側内径Ｄ１２'及び外側内径Ｄ１１'を０．６ｍｍずつ大きくすることにより、２ＫＨｚ周辺のイヤホン出力がようやく低減された。
【００２７】
図５（ａ）に示す実施例１では、筐体側内径Ｄ１２を３．０ｍｍとし、比較例よりも大きくしたので、跳ね返りが起こりにくくなり、黒塗り矢印で示す外部からの音のみがマイク１０に拾われるようになり、１〜２ＫＨｚの辺りでもハウリングが発生せず、イヤホン出力が小さくなっている。この場合、図１（ｂ）に示すように、リアカバー５と背面側キャビネット４との間の隙間Ｃから伝達されてきた音は、露出孔１６のマイク１０側ではほとんど反射されないので、マイク１０側へ向かうことはなく、ハウリングは発生していないと考えられる。
【００２８】
図５（ｂ）に示す実施例２及び図５（ｃ）に示す実施例３においても、実施例１に比べて外側内径Ｄ１１を０．２ｍｍ、０．５ｍｍずつ大きくしたが、ほぼ同様にハウリングが発生しないと考えられ、イヤホン出力が低減されている。
【００２９】
つまり、比較例では、筐体側内径Ｄ１２'及び外側内径Ｄ１１'を３．０ｍｍ程度まで大きくしないと、ハウリング防止効果が発揮されなかった。一方で、実施例のように、露出孔１６の筐体側内径Ｄ１２の大きさを大きく保っていれば、外側内径Ｄ１１を小さくすることができることがわかった。
【００３０】
このように本発明の実施形態では、正面側キャビネット３とリアカバー５との間の隙間Ｃから入ってくる雑音が露出孔１６の正面側キャビネット３側周縁で跳ね返らず、外側へ出て行くので、ハウリングが起こらない。また、露出孔１６の外側内径Ｄ１１を音孔１５のカバー部材側内径Ｄ０１に比べて大きくする必要がないので、外観が悪化しない。
【００３１】
したがって、本実施形態に係る携帯電話機１では、部品点数を増やすことなく、かつ外観の悪化を防ぎながらハウリングを防止することができる。
【００３２】
（その他の実施形態）
本発明は、上記実施形態について、以下のような構成としてもよい。
【００３３】
すなわち、上記実施形態では、携帯電話機１の下端に音孔１５及び露出孔１６を設けたが、その位置は特に制限されず、背面側や左右側面、上面等でもよい。
【００３４】
また、上記実施形態では、マイク１０は、携帯電話機１の厚さを薄くするために、音孔１５の長手方向に対して傾斜して配置されているが、長手方向に対して垂直に配置されていてもよい。また上記実施形態では、マイク１０を正面側キャビネット３に設けているが、背面側キャビネット４側に設けてもよい。
【００３５】
上記実施形態では、電子機器は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよく、液晶ディスプレイ、液晶テレビ、ブルーレイ（ＤＶＤ）レコーダ等であってもよい。
【００３６】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３７】
１      携帯電話機（電子機器）
２      表示部
３      正面側キャビネット（筐体）
４      背面側キャビネット
５      リアカバー（カバー部材）
６      充電池
７      メイン基板
８      防水パッキン
９      両面テープ
１０      マイク
１１      マイク基板
１２      マイクホルダ
１３      第１クッション
１４      第２クッション
１５      音孔
１６      露出孔
５０      ビス
Ｄ０１      カバー部材側内径
Ｄ１１      外側内径
Ｄ１２      筐体側内径
【図１】
2014220734.tif 000003
【図２】
2014220734.tif 000004
【図３】
2014220734.tif 000005
【図４】
2014220734.tif 000006
【図５】
2014220734.tif 000007
【図６】
2014220734.tif 000008